【事件の表示】
　特願２０１５−１５２０５１「端末装置、および端末制御プログラム」拒絶査定不服審判事件〔平成２９年　２月　９日出願公開、特開２０１７−　２９３６９、請求項の数（３）〕について、次のとおり審決する。
【結　論】
　原査定を取り消す。
　本願の発明は、特許すべきものとする。
【理　由】
第１　手続の経緯
　本願は、平成２７年７月３１日の出願であって、平成３０年７月２３日付けで手続補正書が提出され、平成３１年４月５日付けで拒絶理由が通知され、令和元年８月８日付けで意見書及び手続補正書が提出され、同年１１月１９日付けで拒絶査定（原査定）されたところ、令和２年２月２６日に拒絶査定不服審判の請求がなされ、同時に手続補正がなされたものである。その後当審において同年７月１０日付けで拒絶理由（以下「当審拒絶理由」という。）が通知され、同年９月１４日付けで意見書及び手続補正書が提出されたものである。
第２　原査定の理由
　原査定（令和元年１１月１９日付け拒絶査定）の概要は次のとおりである。
（新規性）この出願の請求項４及び７に係る発明は、その出願前に日本国内又は外国において、頒布された以下の刊行物に記載された発明又は電気通信回線を通じて公衆に利用可能となった発明であるから、特許法第２９条第１項第３号に該当し、特許を受けることができない。
（進歩性）この出願の請求項４及び７に係る発明は、その出願前に日本国内又は外国において、頒布された以下の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
引用文献Ａ：特開２００４−１６６９７９号公報
第３　当審拒絶理由の概要
　当審拒絶理由の概要は次のとおりである。
（進歩性）この出願の請求項１〜３に係る発明は、その出願前に日本国内又は外国において、頒布された以下の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
引用文献１：特開２００８−２８４２７３号公報（当審において新たに引用した文献）
引用文献２：特開平７−３０３６５４号公報（当審において新たに引用した文献）
引用文献３：特開２００４−１６６９７９号公報（拒絶査定時の引用文献Ａ）
第４　本願発明
　本願請求項１〜３に係る発明（以下それぞれ請求項の番号に従って「本願発明１」などという。）は、令和２年９月１４日付けの手続補正で補正された特許請求の範囲の請求項１〜３に記載された事項により特定される発明であり、そのうち本願発明１は以下のとおりの発明である。
「　【請求項１】
　複数の眼科装置を操作するための端末装置であって、
　前記複数の眼科装置と通信を行う通信手段と、
　前記眼科装置を操作するための操作領域を表示する表示手段と、検者からの操作を受け付ける操作受付手段と、を有し、前記複数の眼科装置のうち、少なくとも一つの操作対象の眼科装置を選択する選択指示を受け付ける選択受付手段と、
　前記通信手段によって、前記操作対象の眼科装置に制御信号を送信する制御手段と、を備え、
　前記制御手段は、第１眼科装置を操作するための第１操作領域と、前記第１眼科装置とは異なる第２眼科装置を操作するための第２操作領域とを前記表示手段に同時に表示させ、前記第１眼科装置によって撮影された第１観察画像と、前記第２眼科装置によって撮影された第２観察画像とを前記通信手段によって各眼科装置から取得し、前記第１観察画像を前記第１操作領域に表示させ、前記第２観察画像を前記第２操作領域に表示させ、前記操作受付手段によって受け付けた前記第１観察画像に対する操作に基づいて、前記第１眼科装置の検眼部をＸＹＺ方向に移動させるための第１制御信号を前記第１眼科装置に送信し、前記操作受付手段によって受け付けた前記第２観察画像に対する操作に基づいて、前記第２眼科装置の検眼部をＸＹＺ方向に移動させるための第２制御信号を前記第２眼科装置に送信することを特徴とする端末装置。」
　なお、本願発明２及び３の概要は以下のとおりである。
　本願発明２は、本願発明１を減縮した発明である。
　本願発明３は、本願発明１に対応する端末制御プログラムの発明である。
第５　引用文献、引用発明等
１　引用文献１について
（１）引用文献１の記載
　上記引用文献１には、図面とともに次の事項が記載されている。
（引１ア）
「【００１５】
　以下、添付図面に基づいて本発明に係る眼科遠隔診断システムの実施形態を詳細に説明する。図１に示すように、本実施形態の眼科遠隔診断システム１０は、被検者（患者）Ａやこの患者Ａをサポートする眼科が専門でない医師や看護師等の補助者Ｂが待機する眼科の検査サイト１１と、眼科の専門医（眼科医）Ｃが待機する診断サイト１２とを有し、前記検査サイト１１と診断サイト１２とが高速の通信回線１３で結ばれた構成となっている。
【００１６】
　前記検査サイト１１としては、眼科の専門医が常駐していない過疎地等の病院や診療所を想定している。この検査サイト１１には、眼科検査機器の一つである細隙灯顕微鏡を中心とした眼科検査装置２０が備えられている。一方、診断サイト１２としては、眼科の専門医が常駐している都心部等の総合病院あるいは眼科の専門医院等を想定しており、ここには、前記眼科検査装置２０を遠隔操作するための汎用コンピュータや制御プログラムからなるユーザインターフェース手段１４が設けられている。なお、前記検査サイト１１は、前記眼科検査装置２０が備えられ、診断サイト１２は、眼科医Ｃが診断を行える場所であればよく、病院などの特定の場所に限定されるものではない。」
（引１イ）
「【００１７】
　前記眼科検査装置２０は、図２に示すように、一般的な細隙灯顕微鏡
顕微鏡カメラ２３を操作する複数の駆動軸からなる駆動部２４と
を備えている。
この駆動部２４は、前記スリット光を患者の眼の検査位置に照準を合わせるために前記スリット照明部２２を水平方向（Ｘ軸及びＹ軸）及び垂直方向（Ｚ軸）に移動自在なスリット照明移動機構部２８
などで構成されている。
【００１８】
　前記スリット照明移動機構部２８は、前記スリット照明部２２の台座部２２ａを眼科医又は患者から見て左右方向に往復移動させるＸ軸駆動部２９と、前後方向に往復移動させるＹ軸駆動部３０と、上下方向に往復移動させるＺ軸駆動部３１と、前記Ｘ軸，Ｙ軸及びＺ軸上で移動した位置で回転させる回転駆動部３９とで構成され、スリット照明部２２全体の３次元駆動が可能となっている。その他のチルト軸３２、横振り軸３３、回転軸３４、スリット調整軸３５，３６、フィルタ交換機構部３７には、それぞれ図示しない小型のモータが組み込まれている。観察部２５に備えられている観察架台３８のスリット光を中心とした周回移動は、前記回転駆動部３９によって駆動される。
【００１９】
　前記駆動部２４は、各駆動軸に配置される数値制御可能で精密な動きをするＤＣモータやステッピングモータが使用され、通信回線１３を介した場合であっても操作遅延を生じさせないようにリアルタイムで駆動制御される。図３は前記眼科検査装置２０を備える検査サイト１１内のシステム構成を示すブロック図である。図３に示されるように、前記駆動部２４は、前記各駆動軸を診断サイト１２からの指令に基づいてリアルタイム駆動させるためのリアルタイム制御部４１を備えたハードウェアインターフェース手段４０を介して駆動制御される。このハードウェアインターフェース手段４０は、前記リアルタイム制御部４１の他に、顕微鏡カメラ２３で撮像される患者の眼の観察像を取り込むためのビデオスイッチャ４２と、このビデオスイッチャ４２によって選択された映像を伝送させるための映像音声伝送部４３と、診断サイト１２からの駆動制御信号を取り入れたり、前記映像音声伝送部４３から伝送される顕微鏡カメラ２３の観察像を診断サイト１２に送出させたりするためのネットワークスイッチ４４とを備える。」
（引１ウ）
「【００２１】
　前記診断サイト１２には、図４及び図５に示すように、通信回線１３を介して前記検査サイト１１に備わる眼科検査装置２０の駆動部２４及び観察部２５を遠隔操作及びモニタリングするためのユーザインターフェース手段５０が備えられている。このユーザインターフェース手段５０は、
キーボード６３，ポインティングデバイス（ジョイスティック）６４
を備えて構成されている
【００２２】
　前記制御プログラム５２は、図５に示されるように、通信回線１３を介して制御信号及び映像信号のやりとりを行うためのネットワークスイッチ５３、ルータ５４
眼科検査装置２０の駆動部２４や観察部２５を駆動制御するリアルタイム制御部５６と
で構成される
【００２３】
　前記診断サイト１２に備わるモニタ６０は、図４に示したように、右側が患者の眼の顕微鏡映像を表示する診察モニタ６１で、左側が眼科検査装置２０の操作設定を行う制御モニタ６２となっている。
前記制御モニタ６２は、図６に示すように、
眼科検査装置２０におけるスリット照明部２２や顕微鏡カメラ２３の駆動に伴う各種の設定を行うためのタッチ式のパネルスイッチ８６
が設けられている。
【００２４】
　実際に眼科検査装置２０を操作する場合は、前記制御モニタ６２によって予めスリット照明部２２や顕微鏡カメラ２３の初期設定を行った上で、ジョイスティック６４の操作レバー６５ａを握り、スリット光を患者の眼に照準を合わせる操作を行う。このジョイスティック６４による操作は、前記診察モニタ６１を見ながら前後左右に傾けることで、眼の動きや検査位置に追従するようになっている。また、前記操作レバー６５ａは、回転式スイッチとなっており、右方向や左方向に回転させることで、前記スリット照明部２２を上下動させることができる。また、前記ジョイスティック６４には、操作レバー６５ａの他にいくつかのスイッチボタン６５ｂを設け、このスイッチボタン６５ｂに前記制御モニタ６２で設定するスリット照明部２２や顕微鏡カメラ２３の操作機能を付加することもできる。前記診察モニタ６１及び制御モニタ６２は、独立して構成されているので、配置は任意であるが、前記診察モニタ６１を中心にした場合、制御モニタ６２を左側に配置することで、スリット照明部２２や顕微鏡カメラ２３の設定は左手で行い、スリット光の照準合わせなどの細かい操作をジョイスティック６４によって右手で操作することができる。なお、左利きの場合は、前記制御モニタ６２を右側に配置し、左手でジョイスティック６４を操作するようにすることができる。
【００２５】
　図６に示した制御モニタ６２の画面構成は、
左半分が
スリット光操作画面７１である。
下段が
顕微鏡カメラ設定画面７３となっている。
【００２６】
　前記制御モニタ６２で設定された情報は、前記制御プログラム５２及び通信回線１３を介して検査サイト１１のハードウェアインターフェース手段４０に伝送され、リアルタイムに眼科検査装置２０の所定の駆動軸を駆動する。また、顕微鏡カメラ設定画面７３は、図６に示したように、
前記モニタ座標軸８３の左右に配置されている一対の方向スイッチ８３ａ，８３ｂは、顕微鏡カメラ２３の焦点を素早く患者の右眼や左眼に移動させるためのものである。この方向スイッチ８３ａ，８３ｂをタッチすることによって、顕微鏡カメラ２３の焦点を患者の左右どちらかの眼の中心位置に自動的にポジショニングさせることができる。
【００２７】
　また、前記顕微鏡カメラ設定画面７３の下端には、計測記録スイッチ８５が設けられている。この計測記録スイッチ８５は、前記顕微鏡カメラ設定画面７３で操作及び表示される顕微鏡カメラ２３による観察の位置情報を記録させるためのものであり、患者の眼の観察すべき所定位置に移動したポイントでタッチすることで、後述する患部データ計測記録手段５９に取り込ませることができる。なお、前記スリット光操作画面７１や顕微鏡カメラ設定画面７３に設けられている右、左と表示されているパネルスイッチは、検査している患者から見た右眼、左眼に対応させている。
【００２８】
　前記情報表示部８０における顕微鏡カメラ２３の位置情報などは、図５に示したように、患部データ計測記録手段５９に取り込まれる。この患部データ計測記録手段５９では、前記情報表示部８０のモニタ座標軸８３から前記診察モニタ６１に映し出されている実際の患部の位置データが算出され、この位置データに基づいて前記患部の大きさや面積、体積などが計測される。ここで計測された各パラメータは、パソコン５１内に保存したり、プリント出力などしたりすることで、前記患部における病変の改善や悪化などの状態を眼科医が的確に判定することが可能となる。」
（引１エ）
「【００３０】
　図６に示した制御モニタ６２の各画面は、細隙灯顕微鏡からなる眼科検査装置２０を眼科医が実際に操作する上での必要最小限の機能が盛り込まれて構成されている。また、前記眼科検査装置２０に備わる各操作機能が選択設定しやすいように順番に配列されていると共に、タッチするパネルスイッチ８６やスイッチ表示部８７も大きく設定されているので、眼科医が診察モニタ６１を見ながら左手で所定のパネルスイッチ８６を特に注視することなくブラインドタッチ方式で操作することができる。
【００３１】
　前記モニタ６０としては、診察モニタ６１と制御モニタ６２の２つがあれば、診察と、この診察における眼科検査装置２０の各種設定とを同時に行うことができるが、前記検査サイト映像画面７２を表示させるためのモニタを別途備えた構成にしたり、パソコンのように一画面の中に診察ウィンドウと制御ウィンドウとを並列あるいは切り換えながら表示させたりするように構成することもできる。前記モニタが複数あれば、患者の周囲の環境を確認しながら同時に眼の診断を行うことも可能である。一方、複数のウィンドウ構成による表示が可能な構成にすれば、携帯可能なノート型のパソコンに専用のソフトを組み込めば利用できるため、通常、病院内に設定される診断サイト以外の場所においても診断が可能となる。
【００３２】
　なお、本実施形態では、検査サイトと診断サイトとが一対一で結ばれたシステム構成を例示したが、
通信回線として一般的なインターネット回線を利用しているため、複数の検査サイト及び診断サイト同士を結ぶことができる。このように、複数の検査サイトと繋がり、眼科検査装置が同一構成であれば、一つの診断サイトにおいて検査サイトを切り換えることで、複数の検査サイトに待機している複数の患者を順次診断することが可能となる。
（引１オ）図１
（引１カ）図２
（引１キ）図３
（引１ク）図４
（引１ケ）図５
（引１コ）図６
（２）引用文献１に記載された発明
　上記（１）の記載を整理する。
ア　【００１７】「眼科検査装置２０は、図２に示すように、一般的な細隙灯顕微鏡」、【００２１】「前記診断サイト１２には、図４及び図５に示すように、通信回線１３を介して前記検査サイト１１に備わる眼科検査装置２０の駆動部２４及び観察部２５を遠隔操作及びモニタリングするためのユーザインターフェース手段５０が備えられている。」、及び【００３２】「通信回線として一般的なインターネット回線を利用しているため、複数の検査サイト及び診断サイト同士を結ぶことができる。このように、複数の検査サイトと繋がり、眼科検査装置が同一構成であれば、一つの診断サイトにおいて検査サイトを切り換えることで、複数の検査サイトに待機している複数の患者を順次診断することが可能となる。」との記載によれば、診断サイト１２は、「複数の検査サイト１１を切り換えることで、各検査サイト１１に備わる細隙灯顕微鏡からなる眼科検査装置２０の駆動部２４及び観察部２５を遠隔操作するためのユーザインターフェース手段５０が備えられている診断サイト１２」であることが分かる。
イ　上記アを踏まえると、【００２２】「前記制御プログラム５２は、図５に示されるように、通信回線１３を介して制御信号・・・のやりとりを行うためのネットワークスイッチ５３、ルータ５４と、・・・で構成される。」との記載によれば、図５の診断サイト１２（【００２１】）は、「複数の検査サイト１１と通信回線１３を介して制御信号のやりとりを行うためのネットワークスイッチ５３、ルータ５４と」を備えていることが分かる。
ウ　【００２３】「前記診断サイト１２に備わるモニタ６０は、図４に示したように、右側が患者の眼の顕微鏡映像を表示する診察モニタ６１で、左側が眼科検査装置２０の操作設定を行う制御モニタ６２となっている。・・・前記制御モニタ６２は、図６に示すように、・・・眼科検査装置２０におけるスリット照明部２２や顕微鏡カメラ２３の駆動に伴う各種の設定を行うためのタッチ式のパネルスイッチ８６・・・が設けられている。」、【００２５】「図６に示した制御モニタ６２の画面構成は、・・・左半分が・・・スリット光操作画面７１である。また、右側の・・・下段が・・・顕微鏡カメラ設定画面７３となっている。」との記載によれば、診断サイト１２は、「患者の眼の顕微鏡映像を表示する診察モニタ６１と、眼科検査装置２０の操作設定を行う、スリット光操作画面７１及び顕微鏡カメラ設定画面７３を画面構成とする制御モニタ６２とからなり、前記制御モニタ６２は、眼科検査装置２０におけるスリット照明部２２や顕微鏡カメラ２３の駆動に伴う各種の設定を行うためのタッチ式のパネルスイッチ８６が設けられている、モニタ６０」を備えていることが分かる。
エ　【００２１】「前記診断サイト１２には、図４及び図５に示すように、・・・ユーザインターフェース手段５０が備えられている。このユーザインターフェース手段５０は、・・・キーボード６３，ポインティングデバイス（ジョイスティック）６４・・・を備えて構成されている。」との記載によれば、診断サイト１２は、「キーボード６３、ポインティングデバイス（ジョイスティック）６４」を備えていることが分かる。
オ　【００２２】「前記制御プログラム５２は、図５に示されるように、・・・眼科検査装置２０の駆動部２４や観察部２５を駆動制御するリアルタイム制御部５６と・・・で構成される。」との記載によれば、診断サイト１２は、「眼科検査装置２０の駆動部２４や観察部２５を駆動制御する制御プログラム５２」を備えていることが分かる。
カ　【００２６】「前記制御モニタ６２で設定された情報は、前記制御プログラム５２及び通信回線１３を介して検査サイト１１・・・に伝送され、リアルタイムに眼科検査装置２０の所定の駆動軸を駆動する。また、顕微鏡カメラ設定画面７３は、図６に示したように、・・・モニタ座標軸８３の左右に配置されている一対の方向スイッチ８３ａ，８３ｂは、顕微鏡カメラ２３の焦点を素早く患者の右眼や左眼に移動させるためのものである。この方向スイッチ８３ａ，８３ｂをタッチすることによって、顕微鏡カメラ２３の焦点を患者の左右どちらかの眼の中心位置に自動的にポジショニングさせることができる。」、【００１７】「前記眼科検査装置２０は、図２に示すように、・・・顕微鏡カメラ２３を操作する複数の駆動軸からなる駆動部２４と、・・・を備えている。・・・この駆動部２４は、前記スリット光を患者の眼の検査位置に照準を合わせるために前記スリット照明部２２を水平方向（Ｘ軸及びＹ軸）及び垂直方向（Ｚ軸）に移動自在なスリット照明移動機構部２８と・・・で構成されている。」との記載によれば、診断サイト１２は、「顕微鏡カメラ設定画面７３の方向スイッチ８３ａ，８３ｂをタッチすることによって、顕微鏡カメラ２３の焦点を患者の左右どちらかの眼の中心位置に自動的にポジショニングさせるために、眼科検査装置２０の所定の駆動軸をＸＹＺ方向に駆動させる情報を検査サイト１１に伝送する」ことが分かる。
キ　したがって、上記ア〜カから、引用文献１には、次の発明（以下「引用発明」という。）が記載されていると認められる。
「複数の検査サイト１１を切り換えることで、各検査サイト１１に備わる細隙灯顕微鏡からなる眼科検査装置２０の駆動部２４及び観察部２５を遠隔操作するためのユーザインターフェース手段５０が備えられている診断サイト１２であって、
　複数の検査サイト１１と通信回線１３を介して制御信号のやりとりを行うためのネットワークスイッチ５３、ルータ５４と、
　患者の眼の顕微鏡映像を表示する診察モニタ６１と、眼科検査装置２０の操作設定を行う、スリット光操作画面７１及び顕微鏡カメラ設定画面７３を画面構成とする制御モニタ６２とからなり、前記制御モニタ６２は、眼科検査装置２０におけるスリット照明部２２や顕微鏡カメラ２３の駆動に伴う各種の設定を行うためのタッチ式のパネルスイッチ８６が設けられている、モニタ６０と、
　キーボード６３、ポインティングデバイス（ジョイスティック）６４と、
　眼科検査装置２０の駆動部２４や観察部２５を駆動制御する制御プログラム５２と、
　を備え、
　制御プログラム５２は、顕微鏡カメラ設定画面７３の方向スイッチ８３ａ，８３ｂがタッチされることによって、顕微鏡カメラ２３の焦点を患者の左右どちらかの眼の中心位置に自動的にポジショニングさせるために、眼科検査装置２０の所定の駆動軸をＸＹＺ方向に駆動させる制御信号を検査サイト１１に伝送する
　診断サイト１２。」
２　引用文献２について
（１）引用文献２の記載
　上記引用文献２には、図面とともに次の事項が記載されている。
（引２ア）
「【００３９】次に、集中表示パネル３６及び集中制御パネル３７における表示画面の構成及び機能を説明する。
【００４０】本実施例の内視鏡システムにおいて、内視鏡的手術を行う際には、システムコントローラ３５の制御により、集中表示パネル３６に図７に示すような表示画面７１を、集中制御パネル３７に図８に示すような表示画面７２をそれぞれ表示し、各パネルにおいて目的の装置の状態表示を視認できると共に目的の操作を行うことができるようにする。システムコントローラ３５は、接続された各装置の設定値や装置からの状態信号を基に各パネルに目的の内容の状態表示を行う。また、各パネルにおける操作指示を受けて、システムコントローラ３５は目的の装置に制御信号を送り、該装置の動作を制御する。
・・・
【００４２】集中制御パネル３７の表示画面７２は、手術中に看護婦が目的の装置の操作を行えるようにシステムの中から目的の情報及び装置機能が抽出され、被制御装置となる該当する装置の状態表示及び機能操作スイッチが表示される。ここでは、上半分の状態表示領域７４には集中表示パネル３６と同様の内容が表示され、下半分の操作スイッチ領域７５には操作を目的としたスイッチを示す機能操作スイッチの表示が並んで表示されている。状態表示領域７４と操作スイッチ領域７５とは、区別し易いように色分けされており、本実施例では、状態表示領域７４の背景が黒く（図では斜線で示す）表示されるよう反転表示がなされている。機能操作スイッチとしては、二酸化炭素ガス送気のオンオフ、気腹圧力設定、 CUTモードにおける出力レベル設定、 COAGULATIONモードにおける出力レベル設定、ＶＴＲの操作の各スイッチが表示され、該当する表示の部分を押すと対応する操作指示が装置になされる。
【００４３】また、画面下端部には、各装置を細かく操作するための階層画面となった操作画面を呼び出すタグスイッチ表示７６が設けられ、あるタグスイッチの部分を押すと該当する装置の操作画面に切り替わる。例えば、図８のタグスイッチ表示の中の“El.Surg.”を選択すると、図９に示す高周波焼灼装置用操作画面７７の表示に切り替わる。このようにタグスイッチによって、操作する機器の操作画面を選択的に表示させることにより、少ない表示面積で全ての被制御装置の全ての被制御機能を表示及び操作可能としている。
【００４４】集中制御パネル３７においては、光源のランプ切れなどのように手術続行が可能な異常（光源装置には補助ランプがあるため）に関しては、画面上端部の異常内容表示エリア７３に異常内容を表示するようになっている。一方、システムの通信が不能になるといった重大な異常に関しては、図１０に示すように操作スイッチ領域７５に大きく異常表示７８を表示するようにしている。
【００４５】ところで、手術室の内部は、患者の位置を中心として滅菌されたものしか置くことができない滅菌域と滅菌域の外に位置する非滅菌域とに分けられる。本実施例では、図３の構成の医療用内視鏡システムにおいて、第２制御パネル３９以外の装置は全て非滅菌域に設置され、第２制御パネル３９のみが滅菌域に置かれる。
【００４６】手術を行う執刀医は、当然のことながら患者の感染を防ぐ意味で非滅菌域のものに触れることはできないため、手術中の装置の操作は非滅菌域の看護婦に指示して行わざるを得ない。しかしながら、非滅菌域の看護婦は手術中も忙しく手術室を出入りする場合があるので、必ずいるとは限らない。そこで、このような場合に執刀医が自ら操作できるように、滅菌域での使用を前提とした制御パネルとして第２制御パネル３９を備えるようにする。
【００４７】図１１は第２制御パネル３９の機能操作スイッチ等の配置構成を示したものであり、手術中に良く操作されるものだけが小さくまとめて配置されている。本実施例では、気腹圧設定、気腹流量設定、気腹動作の開始／停止、 CUTモードにおける出力レベル設定、 COAGULATIONモードにおける出力レベル設定、 COAGULATION出力モード設定（SPRAY OR NORMAL）、画像処理装置のサブ画面（子画面）の挿入、入力ソースの選択、画像回転（ROT.）、親子入れ替え（EXCHG.）、ＶＴＲの録画及びポーズ、これらの各スイッチが設けられている。従って、第２制御パネル３９に設けられた制御内容は、集中制御パネル３７、第２制御パネル３９及び各被制御装置が備える操作パネルのいずれにおいても制御可能となっている。
【００４８】以上のように、本実施例では、
複数の被制御装置を備えたシステムにおいて、各被制御装置の被制御機能を一括して表示するための表示手段と該被制御機能を一括して操作するための操作手段とを有する操作入力手段として集中制御パネルを設け、各被制御装置を一括して集中的に制御する制御手段としてシステムコントローラを設けて、集中制御パネルにより被制御機能を操作して各被制御装置を制御するようにしたので、システム内の各装置に係る操作が容易となり、操作の煩雑化を防止でき、システムの操作性を向上させることが可能となる。
（引２イ）図３
（引２ウ）図８
（引２エ）図１１
（２）引用文献２に記載された技術的事項
　上記（１）から、引用文献２には、次の技術的事項が記載されていると認められる。
「複数の被制御装置を備えたシステムにおいて、各被制御装置の被制御機能を一括して表示するための表示手段と該被制御機能を一括して操作するための操作手段とを有する操作入力手段として集中制御パネルを設け、各被制御装置を一括して集中的に制御する制御手段としてシステムコントローラを設けて、集中制御パネルにより被制御機能を操作して各被制御装置を制御するようにしたので、システム内の各装置に係る操作が容易となり、操作の煩雑化を防止でき、システムの操作性を向上させることが可能となること。」
３　引用文献３について
（１）引用文献３の記載
上記引用文献３には、図面とともに次の事項が記載されている。
（引３ア）
「【０００１】
【発明の属する技術分野】
本発明は、
複数の視力検査装置を有する視機能検査設備
・・・
【００５８】
視力検査装置２側では、図１に示すように、
被検者３３が操作レバー３ｂを操作しながら、夜間視力、動体視力及び静止視力など各種の視力検査
・・・
【００７５】
更に、
中央管理装置２０は、視機能検査設備１の各視力検査装置２で行われている検査内容をリアルタイムでデイスプレイ３６上に表示し、また、同時に各視力検査装置２を
制御して、各視力検査装置２に対する監視や運転指示を集中的に行うように構成する
【００７６】
即ち、例えば、図５に示すように、デイスプレイ３６上に、視力検査装置２の操作画面ＯＰと視機能検査設備１の各視力検査装置２で行われている検査状況をリアルタイムで示す検査状況画面ＳＰを表示し、検査状況画面ＳＰでは、各視力検査装置２に対応して設けられた複数の検査モニター画面ＭＰを表示するようにする。各検査モニタ画面ＭＰの表示内容は、各装置から送られてくる被検者の個別検査データＩＩＤや対応する被検者の個別データＩＤＤなどから、自由に構成することが出来る。
【００７７】
また、操作画面ＯＰは、各視力検査装置２に対応する、夜間視力や動体視力などの、複数種類の視力検査の操作画面ＯＰが適宜なメモリ内に格納されており、オペレータがキーボード２８やマウス（図示せず）などの入力手段を介して、制御したい視力検査装置２の装置ＩＤ情報ＭＤや検査種別データＤＡ３などの識別情報を入力することにより、主制御部２１は、当該視力検査装置２で行う視力検査の種類を判定し、当該判定結果に基づいてデイスプレイ３６上に、対応する視力検査の操作画面ＯＰをメモリから読み出して表示することが出来る。
【００７８】
なお、操作画面ＯＰは、図５に示すように、デイスプレイ３６上の画面の一部に表示するほかに、デイスプレイ３６の画面の全部に表示するようにしてもよい。
【００７９】
更に、操作画面ＯＰは、オペレータがキーボード２８などから装置ＩＤ情報ＭＤや検査種別データＤＡ３を入力して表示させるほかに、各視力検査装置２から視力検査に際して送出される装置ＩＤ情報ＭＤや検査種別データＤＡ３に基づいて、主制御部２１が視力検査の種類を判定し、デイスプレイ３６上に、対応する視力検査の操作画面ＯＰをメモリから読み出して、オペレータの入力操作を経ることなく表示するようにしてもよい。
【００８０】
従って、視力検査装置２として
複数種類の視力検査装置２が接続されている視機能検査設備１の場合には、
選択された視力検査装置２の種類に対応した、異なる種類の操作画面ＯＰが読み出される。これにより、オペレータは、当該デイスプレイ３６に表示された操作画面ＯＰを操作する（ここで言う、「操作」とは、デイスプレイ３６上に表示された操作画面ＯＰに基づいて対応する視力検査装置２に対する何らかの信号を生成するための動作をいい、キーボード２８、マウス、タッチパネル、音声、ポインタなど、信号を生成するための操作手段は問わない）ことにより、遠隔操作制御部３７を介して対応する視力検査装置２を、当該視力検査装置２に対応する操作画面ＯＰにより適切に遠隔操作する
【００８１】
なお、複数種類の視力検査装置２が接続された視機能検査設備１では、表示される検査状況画面ＳＰ内の検査モニタ画面ＭＰも、図６に示すように、各視力検査装置２に対応して異なる形で表示される。各検査モニター画面ＭＰも、視力検査装置２の種類に応じて複数の画面ＭＰ１、ＭＰ２……がテンプレートとして用意されており、中央管理装置２０は、視機能検査設備１に接続されている各視力検査装置２からの装置ＩＤ情報ＭＤに基づいて対応する検査モニター画面ＭＰ（ＭＰ１、ＭＰ２）をメモリから読み出し、デイスプレイ３６上に表示する。
【００８２】
また、
各検査モニター画面ＭＰ上に、各視力検査装置２の操作画面ＯＰを配置し、検査モニター画面ＭＰ上で、対応する視力検査装置２を遠隔操作できるように制御する
（引３イ）図１
（引３ウ）図２
（引３エ）図５
（２）引用文献３に記載された技術的事項
　上記（１）から、引用文献３には、次の技術的事項が記載されていると認められる。
「視機能検査設備１の各視力検査装置２で行われている検査内容をリアルタイムでデイスプレイ３６上に表示し、また、同時に各視力検査装置２を制御して、各視力検査装置２に対する監視や運転指示を集中的に行うように構成する中央管理装置２０であって、
　各視力検査装置２は、被検者３３が操作レバー３ｂを操作しながら、夜間視力、動体視力及び静止視力など各種の視力検査を行うものであり、
　複数種類の視力検査装置２が接続されている視機能検査設備１の場合には、選択された視力検査装置２の種類に対応した、異なる種類の操作画面ＯＰが読み出され、これにより、オペレータは、デイスプレイ３６に表示された操作画面ＯＰを操作する（ここで言う、「操作」とは、デイスプレイ３６上に表示された操作画面ＯＰに基づいて対応する視力検査装置２に対する何らかの信号を生成するための動作をいい、キーボード２８、マウス、タッチパネル、音声、ポインタなど、信号を生成するための操作手段は問わない）ことにより、遠隔操作制御部３７を介して対応する視力検査装置２を、当該視力検査装置２に対応する操作画面ＯＰにより適切に遠隔操作し、各検査モニター画面ＭＰ上に、各視力検査装置２の操作画面ＯＰを配置し、検査モニター画面ＭＰ上で、対応する視力検査装置２を遠隔操作できるように制御する、中央管理装置２０。」
第６　対比・判断
１　本願発明１について
（１）対比
　本願発明１と引用発明とを対比する。
ア　引用発明の「複数の検査サイト１１を切り換えることで、各検査サイト１１に備わる細隙灯顕微鏡からなる眼科検査装置２０の駆動部２４及び観察部２５を遠隔操作するためのユーザインターフェース手段５０が備えられている診断サイト１２」は、「複数の検査サイト１１と通信回線１３を介して制御信号のやりとりを行うためのネットワークスイッチ５３、ルータ５４」を「備え」ているから、引用発明の「ユーザインターフェース手段５０」、「ネットワークスイッチ５３、ルータ５４」が、本願発明１の「複数の眼科装置を操作するための端末装置」に相当する。
イ　引用発明の「複数の検査サイト１１と通信回線１３を介して制御信号のやりとりを行うためのネットワークスイッチ５３、ルータ５４」は、本願発明１の「前記複数の眼科装置と通信を行う通信手段」に相当する。
ウ　引用発明の「制御モニタ６２」「画面」は、「眼科検査装置２０の操作設定を行う、スリット光操作画面７１及び顕微鏡カメラ設定画面７３を画面構成とする」から、本願発明１の「前記眼科装置を操作するための操作領域」に相当する。
　よって、引用発明の「患者の眼の顕微鏡映像を表示する診察モニタ６１と、眼科検査装置２０の操作設定を行う、スリット光操作画面７１及び顕微鏡カメラ設定画面７３を画面構成とする制御モニタ６２とからな」る「モニタ６０」は、本願発明１の「前記眼科装置を操作するための操作領域を表示する表示手段」に相当する。
エ　引用発明の「制御モニタ６２」に「設けられている」「眼科検査装置２０におけるスリット照明部２２や顕微鏡カメラ２３の駆動に伴う各種の設定を行うための」、「顕微鏡カメラ設定画面７３の方向スイッチ８３ａ，８３ｂ」を含む「タッチ式のパネルスイッチ８６」、及び「キーボード６３、ポインティングデバイス（ジョイスティック）６４」は、本願発明１の「検者からの操作を受け付ける操作受付手段」に相当する。
オ　引用発明の「診断サイト１２」は、「複数の検査サイト１１を切り換える」ために、一の検査サイト１１を選択する手段を備えていることは明らかである。
カ　上記ウ〜オから、引用発明の「眼科検査装置２０の操作設定を行う、スリット光操作画面７１及び顕微鏡カメラ設定画面７３を画面構成とする制御モニタ６２とからな」る「モニタ６０」と、「制御モニタ６２」に「設けられている」「眼科検査装置２０におけるスリット照明部２２や顕微鏡カメラ２３の駆動に伴う各種の設定を行うための」、「顕微鏡カメラ設定画面７３の方向スイッチ８３ａ，８３ｂ」を含む「タッチ式のパネルスイッチ８６」、及び「キーボード６３、ポインティングデバイス（ジョイスティック）６４」は、本願発明１の「前記眼科装置を操作するための操作領域を表示する表示手段と、検者からの操作を受け付ける操作受付手段と、を有し、前記複数の眼科装置のうち、少なくとも一つの操作対象の眼科装置を選択する選択指示を受け付ける選択受付手段」に相当する。
キ　引用発明の「眼科検査装置２０の駆動部２４や観察部２５を駆動制御する制御プログラム５２」は、「眼科検査装置２０の所定の駆動軸をＸＹＺ方向に駆動させる制御信号を検査サイト１１に伝送する」から、本願発明１の「前記通信手段によって、前記操作対象の眼科装置に制御信号を送信する制御手段」に相当する。
ク　引用発明は、「複数の」「眼科検査装置２０を」「切り換える」から、切り換え前の「眼科検査装置２０」を第１眼科検査装置２０、切り換え後の「眼科検査装置２０」を第２眼科検査装置２０とすると、引用発明の「制御プログラム５２」が、第１「眼科検査装置２０の操作設定を行う」ための「画面」と、第２「眼科検査装置２０の操作設定を行う」ための「画面」とを「切り換え」て「モニタ６０」に表示させることと、本願発明１の「前記制御手段は、第１眼科装置を操作するための第１操作領域と、前記第１眼科装置とは異なる第２眼科装置を操作するための第２操作領域とを前記表示手段に同時に表示させ」ることとは、「第１眼科装置を操作するための第１操作領域と、前記第１眼科装置とは異なる第２眼科装置を操作するための第２操作領域とを前記表示手段に表示させ」る点で共通する。
ケ　引用発明の「制御プログラム５２」が、前記第１「眼科検査装置２０」における第１「患者の眼の顕微鏡映像」と、前記第２「眼科検査装置２０」における第２「患者の眼の顕微鏡映像」とを「切り換え」て「モニタ６０」に表示させることと、本願発明１の「前記制御手段は、」「前記第１眼科装置によって撮影された第１観察画像と、前記第２眼科装置によって撮影された第２観察画像とを前記通信手段によって各眼科装置から取得し、前記第１観察画像を前記第１操作領域に表示させ、前記第２観察画像を前記第２操作領域に表示させ」ることとは、「前記制御手段は、」「前記第１眼科装置によって撮影された第１観察画像と、前記第２眼科装置によって撮影された第２観察画像とを前記通信手段によって各眼科装置から取得し、前記第１観察画像を表示させ、前記第２観察画像を表示させ」る点で共通する。
コ　引用発明の「制御プログラム５２」が、前記第１「患者の眼の顕微鏡映像」における「顕微鏡カメラ設定画面７３の方向スイッチ８３ａ，８３ｂがタッチされることによって、」前記第１「眼科検査装置２０の所定の駆動軸をＸＹＺ方向に駆動させる制御信号を検査サイト１１に伝送」し、前記第２「患者の眼の顕微鏡映像」における「顕微鏡カメラ設定画面７３の方向スイッチ８３ａ，８３ｂがタッチされることによって、」前記第２「眼科検査装置２０の所定の駆動軸をＸＹＺ方向に駆動させる制御信号を検査サイト１１に伝送する」ことは、本願発明１の「前記制御手段は、」「前記操作受付手段によって受け付けた前記第１観察画像に対する操作に基づいて、前記第１眼科装置の検眼部をＸＹＺ方向に移動させるための第１制御信号を前記第１眼科装置に送信し、前記操作受付手段によって受け付けた前記第２観察画像に対する操作に基づいて、前記第２眼科装置の検眼部をＸＹＺ方向に移動させるための第２制御信号を前記第２眼科装置に送信する」ことに相当する。
　したがって、本願発明１と引用発明とは、次の点で一致し、次の点で相違する。
（一致点）
「複数の眼科装置を操作するための端末装置であって、
　前記複数の眼科装置と通信を行う通信手段と、
　前記眼科装置を操作するための操作領域を表示する表示手段と、検者からの操作を受け付ける操作受付手段と、を有し、前記複数の眼科装置のうち、少なくとも一つの操作対象の眼科装置を選択する選択指示を受け付ける選択受付手段と、
　前記通信手段によって、前記操作対象の眼科装置に制御信号を送信する制御手段と、を備え、
　前記制御手段は、第１眼科装置を操作するための第１操作領域と、前記第１眼科装置とは異なる第２眼科装置を操作するための第２操作領域とを前記表示手段に表示させ、前記第１眼科装置によって撮影された第１観察画像と、前記第２眼科装置によって撮影された第２観察画像とを前記通信手段によって各眼科装置から取得し、前記第１観察画像を前記表示手段に表示させ、前記第２観察画像を前記表示手段に表示させ、前記操作受付手段によって受け付けた前記第１観察画像に対する操作に基づいて、前記第１眼科装置の検眼部をＸＹＺ方向に移動させるための第１制御信号を前記第１眼科装置に送信し、前記操作受付手段によって受け付けた前記第２観察画像に対する操作に基づいて、前記第２眼科装置の検眼部をＸＹＺ方向に移動させるための第２制御信号を前記第２眼科装置に送信する、端末装置。」
（相違点）
　制御手段が、本願発明１では、表示手段に、第１観察画像を表示させる第１操作領域と、第２観察画像を表示させる第２操作領域とを同時に表示させるのに対し、引用発明では、「モニタ６０」に、「複数の検査サイト１１を切り換え」て「遠隔操作する」ことから、「切り換え」前後の「眼科検査装置２０の操作設定を行う」操作領域を同時に表示させていないし、また、「切り換え」前後の「眼科検査装置２０の操作設定を行う」操作領域に「患者の眼の顕微鏡映像」を表示させていない点。
（２）相違点についての判断
　上記相違点について検討する。
　複数の装置を操作する操作端末において、当該操作端末の表示手段に、第１の装置を操作する操作領域と、第１の装置とは異なる第２眼科装置を操作するための第２操作領域とを、同時に表示させることは、技術分野を問わない周知技術（例えば、第５の２（２）引用文献２、第５の３（２）引用文献３などを参照。）である。
　しかしながら、引用文献２及び３に記載された技術的事項は、
第１観察画像を表示させる
第２観察画像を表示させる
　そして、引用文献３の「視力検査装置２」は、「被検者３３が操作レバー３ｂを操作しながら、夜間視力、動体視力及び静止視力など各種の視力検査を行うものであ」るから、「被検者３３」の観察画像を「オペレータ」の「デイスプレイ３６」に表示させることはない。
　しかも、引用文献３では、「被検者３３が」「操作しながら、」「視力検査を行うものであ」り、「オペレータ」によって、「同時」に「各視力検査装置２に対する監視や運転指示を集中的に行」えることから、「各検査モニター画面ＭＰ上に、各視力検査装置２の操作画面ＯＰを配置」するのであって、引用文献１では、患者が自ら操作して検査するものではなく、上記（引１ア）の【００１５】、【００１６】によれば、診断サイト１２にいる専門医が、専門医が常駐していない病院や診療所（検査サイト１１）にいる患者に対して、順次、検査サイト１１を切り換えて細隙灯顕微鏡により診断するものであり、異なる検査サイト１１にいる患者を同時に細隙灯顕微鏡により診断することはないから、引用発明において、引用文献３に記載された技術的事項を適用する動機も存在しない。
　してみると、本願発明１は、当業者であっても、引用発明及び引用文献２、３に記載された技術的事項に基づいて容易に発明できたものとはいえない。
２　本願発明２について
　本願発明２も、上記相違点に係る本願発明１の構成を備えるものであるから、本願発明１と同様の理由により、当業者であっても、引用発明及び引用文献２、３に記載された技術的事項に基づいて容易に発明できたものとはいえない。
３　本願発明３について
　本願発明３は、本願発明１に対応する端末制御プログラムの発明であり、上記相違点に係る本願発明１の構成を備えるものであるから、本願発明１と同様の理由により、当業者であっても、引用発明及び引用文献２、３に記載された技術的事項に基づいて容易に発明できたものとはいえない。
第７　原査定について
　本願発明１〜３は、原査定が拒絶の対象とする請求項でないから、原査定の理由を維持することはできない。
第８　むすび
　以上のとおり、本願発明１〜３は、当業者が引用発明及び引用文献２、３に記載された技術的事項に基づいて容易に発明をすることができたものではない。したがって、原査定の拒絶理由及び当審で通知した拒絶理由によっては、本願を拒絶することができない。
　また、他に本願を拒絶すべき理由を発見しない。
　よって、結論のとおり審決する。